(57)【要約】【課題】使用済みの粘着テープの巻きテープを新しいものに簡単且つスムーズに交換することが出来、しかも粘着テープを所望の長さに確実且つ容易にカットすることが出来る粘着テープの巻きテープ用ホルダーを提供する。【解決手段】巻きテープの左右側部にそれぞれ沿う左右一対の対向板部と、前記左右対向板部の一側縁を連結する連結板部と、前記左右対向板部２ａ・２ｂの他側縁を所定間隔開けて結合する結合板部と、左右対向板部の下縁間の開口を閉鎖する閉鎖板部が備えられ、左右対向板部の少なくとも一方には、左右対向板間の空間から退避して巻きテープの支持を解除する解除位置と左右対向板間の空間に位置して巻きテープを支持する支持位置とに位置変更可能とした巻きテープの支持片と、支持変を前記支持位置に維持させるための維持体が設けられている。【選択図】図１
2009149423.tif 000002
【特許請求の範囲】
【請求項１】
巻きテープの左右側部にそれぞれ沿う左右一対の対向板部と、前記左右対向板部の一側縁を連結する連結板部と、前記左右対向板部の他側縁を所定間隔開けて結合する結合板部と、左右対向板部の下縁間の開口を閉鎖する閉鎖板部が備えられ、左右対向板部の少なくとも一方には、左右対向板間の空間から退避して巻きテープの支持を解除する解除位置と左右対向板間の空間に位置して巻きテープを支持する支持位置とに位置変更可能とした巻きテープの支持片と、支持片を前記支持位置に維持させるための維持体が設けられていることを特徴とする巻テープ用ホルダー。
【請求項２】
巻きテープ用ホルダーが厚紙から一体形成されていることを特徴とする請求項１に記載の巻テープ用ホルダー。
【発明の詳細な説明】
【技術分野】
【０００１】
本発明は、主として両面テープなどの巻テープを保持するためのホルダーに関する。
【背景技術】
【０００２】
一般に粘着テープの巻きテープは、帯状の粘着テープを同じく帯状の剥離紙の表面に貼り付けたものがリング状に巻かれて形成されている。
【０００３】
そして以上の巻きテープは、テープを所定長さにカットするのに便利なように、刃体を取り付けたホルダーに装填されるのが好ましいのであるが、このホルダーが、例えばセロハンテープを装填するのに用いられているような剛性のあるプラスチック製であると、粘着力がセロハンテープよりも弱い粘着テープの巻きテープでは、刃体でカットする際に、巻きテープがホルダーに対して不用意に回転して、巻かれているテープが繰り出されてしまって、巻きテープのカットが非常に困難である。
【０００４】
そのため従来では、粘着テープの巻きテープは紙製のホルダーに装填され、カット時には、巻きテープがホルダーに対して不用意に回転しないように、紙製のホルダーを強く掴むことで、巻きテープを押さえ込めるようにしているのが一般的である。（特許文献１参照）
しかしながら前記した従来の紙製ホルダーでは、装填した巻きテープを使い終えた後、別の巻きテープを補填することが出来ず、ホルダーの再利用が行なえない。
【０００５】
そこで前記した不具合を解消するために、本出願人は、先に、巻きテープの左右側部にそれぞれ沿う左右一対の対向板部と、これら左右対向板部を所定間隔開けてほぼ平行に連結するための一枚の連結板部を備え、左右対向板部間には、左右両対向板部を連結して巻きテープを支持するための支持部を設けると共に、前記連結板部には、巻きテープを切断するための刃体を設けて成るホルダーを提案した。（特許文献２参照）
しかしながら以上のホルダーでは、例えば左右対向板部が一枚の連結板部でのみしか連結されていないことから、連結板部で所定間隔開けて対向状に連結される左右対向板部の剛性が足りず、そのため、左右対向板部を手で押さえて巻きテープを刃体によりカットする際、  左右の左右対向板部が変形するなどして、巻きテープをうまくカット出来ない不具合を生じることが判明したのである。
【０００６】
また以上のホルダーでは、巻きテープの交換時、その都度相対向する左右側板部を展開するようにしているので、巻きテープの交換に手間を要する不具合もある。
【特許文献１】実開平４−２１３３３号
【特許文献２】特開２００６−１５１５４４号
【発明の開示】
【発明が解決しようとする課題】
【０００７】
本発明は以上の実情に鑑みて開発したものであって、目的とするところは、使用済みの粘着テープの巻きテープを新しいものに簡単且つスムーズに交換することが出来、しかも粘着テープを所望の長さに確実且つ容易にカットすることが出来る粘着テープの巻きテープ用ホルダーを提供する。
【課題を解決するための手段】
【０００８】
以上の目的を達成するため、請求項１に記載の発明は、巻きテープの左右側部にそれぞれ沿う左右一対の対向板部と、前記左右対向板部の一側縁を連結する連結板部と、前記左右対向板部２ａ・２ｂの他側縁を所定間隔開けて結合する結合板部と、左右対向板部の下縁間の開口を閉鎖する閉鎖板部が備えられ、左右対向板部の少なくとも一方には、左右対向板間の空間から退避して巻きテープの支持を解除する解除位置と左右対向板間の空間に位置して巻きテープを支持する支持位置とに位置変更可能とした巻きテープの支持片と、支持片を前記支持位置に維持させるための維持体が設けられていることを特徴とする。
【０００９】
請求項２に記載の発明は、請求項１に記載の巻きテープ用ホルダーが厚紙から一体形成されていることを特徴とする。
【発明の効果】
【００１０】
請求項１に記載の発明によれば、左右対向板部が、連結板部と結合板部と閉鎖板部により所定間隔開けて対向状に強固に組まれているので、例えば巻きテープのカット時、左右対向板部を手で強く押さえてもホルダーが不用意に崩れるようなことがなく、巻きテープは確実に支持され、巻きテープのカットを容易に行なうことが出来る。
【００１１】
しかも巻きテープの使用後は、維持体による支持片の支持位置での維持を解除して、支持片を巻きテープの支持が解除される解除位置に位置変更させるだけで、使用済みの巻きテープを左右対向板部間の空間内から取り出して、新しい巻きテープを前記空間内に簡単且つ容易に装填することが出来る。
【００１２】
また請求項２に記載の発明によれば、請求項１に記載の発明の効果に加え、ホルダーを簡単且つ安価に作成することが出来る。
【発明を実施するための最良の形態】
【００１３】
図１〜図７に示すホルダー１は、剥離紙付粘着テ−プをリング状に巻いてなる巻きテープＴをセットして用いられるものである。
【００１４】
尚、前述の剥離紙付粘着テ−プは一般に両面テープと称されているものである。
【００１５】
ホルダー１は、厚さが約０．７mmの厚紙から形成されている。
【００１６】
このホルダー１は、巻きテープＴの左右側部にそれぞれ沿う左右一対の対向板部２ａ・２ｂと、これら左右対向板部２ａ・２ｂの一側縁を所定間隔開けて連結する連結板部３と、左右対向板部２ａ・２ｂの他側縁を所定間隔開けて結合する結合板部４と、左右対向板部２ａ・２ｂの下縁間の開口を閉鎖する閉鎖板部５が備えられている。
【００１７】
結合板部４は、右側対向板部２ｂの他側縁に一体形成された結合片４１と、左側対向板部２ａの他側縁に一体形成されて前記結合片４１の内面に重合する重合片４２から構成され、結合片４１の遊端には、重合片４２と左側対向板部２ａの境界に形成された上下一対の挿入スリット４３に挿入可能な一対の挿入片４４が一体形成されている。
【００１８】
閉鎖板部５は、開口を閉鎖する閉鎖片５１と、この閉鎖片５１の遊端に一体形成されて、左右対向板部２ａ・２ｂ間の空間Ｓに挿入可能な挿入片５２から構成されている。
【００１９】
また右側対向板部２ｂの中央部には、左右対向板部２ａ・２ｂ間の空間Ｓに横断状に介在して、巻きテープＴを前記空間Ｓ内において回転可能に支持する一対の前後支持片６ａ・６ｂが設けられ、左側対向板部２ａの中央部には、前述の支持片６ａ・６ｂを巻きテープＴの支持位置に維持させるための維持体７が設けられている。
【００２０】
即ち、一対の前後支持片６ａ・６ｂは、右側対向板部２ｂの中央部において相対向する位置に設けられると共に、右側対向板部２ｂに対する前後支持片６ａ・６ｂの揺動により、前記空間Ｓから退避して、巻きテープＴの支持を解除する解除位置と、前記空間Ｓ内に介在して、巻きテープＴを支持する支持位置に位置変更可能となっている。
【００２１】
この前後支持片６ａ・６ｂの遊端には、半円形に切り欠かかれた指掛け部６１ａ・６１ｂが設けられ、前後支持片６ａ・６ｂの遊端縁下部には斜め傾斜するガイド６２ａ・６２ｂが設けられている。
【００２２】
また維持体７は、前記空間Ｓを横断する第１維持片７１と、この第１維持片７１の遊端に一体に設けられてこの第１維持片７１に対して屈曲する第２維持片７２から構成されている。
【００２３】
そして以上の維持体７は、第１維持片７１を左右対向板部２ａ・２ｂ間の空間Ｓに横断状に介在させることにより、その長さ方向両端縁が、巻きテープＴを支持する支持位置に位置する前後支持片６ａ・６ｂの下部側面を受け止めて、前後支持片６ａ・６ｂが支持位置から解除位置方向に揺動するのを阻止する。
【００２４】
尚、前述の前後支持片６ａ・６ｂは、対向板部２ａの中央に設けられた略矩形状の貫通孔２１ａの内周縁前後に対向状に一体形成され、維持体７は、対向板部２ｂの中央に設けられた略矩形状の貫通孔２１ｂの内周下縁に一体形成されている。
【００２５】
一方、連結板部３と左右対向板部２ａ・２ｂの一端には、これら連結板部３及び左右対向板部２ａ・２ｂの内板面に重合可能な重合片８が折り畳み可能に設けられると共に、この重合片８と連結板部３との境界には、刃体９の後記する刃部９１を外部に突出させるための矩形状の突出口８１が設けられている。
【００２６】
また重合片８の遊端には、刃体９が突出口８１から退入する方向に移動するのを規制するための規制片８０が折り畳み可能に一体形成されると共に、この重合片８ には、後記する刃体９の係合突片９２が嵌合可能な一対の係合孔８２が設けられている。
【００２７】
刃体９は、非常に硬い特殊な圧縮紙（例えば北越製紙株式会社製の商品名「バルカナイスドファイバー）から成り、その一端部には、略鋸歯状の刃部９１が一体形成されると共に、両側には、前述の係合孔８２に嵌合可能な係合突片９２が一体形成されている。
【００２８】
尚、図１において点線で示すラインは、プレス成型により形成された折り曲げラインであって、この折り曲げラインに沿って各構成部材を折り曲げるようにしている。
【００２９】
以上の構造からなるホルダー１を組み立てるには、先ず図２に示すように、展開されたホルダー１の規制片８０を重合片８の内面と重なり合うように先ず折り畳んだ上で、刃体９の他端部を規制片８０と重合片８との間に介装すると共に、係合突片９２が係合孔８２と対向するように刃体９を重合片８の内面に載せる。
【００３０】
続いて図３に示すように、重合片８を刃体９とともに連結板部３及び左右対向板部２ａ・２ｂの内面側に重なり合うように折り畳む。
【００３１】
そして図４に示すように、結合板部４を構成する結合片４１及び重合片４１と、閉鎖板部５を構成する閉鎖片５１を対向板部２ａ・２ｂに対してそれぞれ折り曲げると共に、挿入片４４を結合片４１に対して、また挿入片５２を閉鎖片５１に対してそれぞれ折り曲げる。
【００３２】
しかる後、左右対向板部２ａ・２ｂを連結板部３に対して折り曲げて、これら左右対向板部２ａ・２ｂを所定間隔開けて対向させる。
【００３３】
つぎに重合片４２の外面側に係合片４１の内面を重ねた上で、挿入片４４を挿入スリットに挿入して、左右対向板部２ａ・２ｂの他側縁を所定間隔開けて結合すると共に、重合片４２及び係合片４１で、左右対向板部２ａ・２ｂ間の他側開口を閉鎖する。
【００３４】
更に閉鎖板部５の挿入片５２を左右対向板部２ａ・２ｂ間の空間内に挿入して、閉鎖板５１で左右対向板部２ａ・２ｂ間の下端開口を閉鎖する。
【００３５】
これによりホルダー１が組み立てられるのであって、左右対向板部２ａ・２ｂが連結板部３に対してほぼ９０度折り曲げられるに伴い、重合片８の両側部が左右対向板部２ａ・２ｂの内板面で押し込まれて、略Ｕ字状に折り曲げられると、重合片８における連結板部３と重合している部位が、連結板部３の内側面に近づく方向に強く押し込まれ、これにより、重合片８の係合孔８２に刃体９の係合突起９２が嵌合して、刃体９が、ホルダー１に確実に組みつけられて、不用意にホルダー１から外れ落ちるようなことがない。
【００３６】
しかもホルダー１における左右対向板部２ａ・２ｂは、連結板部３と結合板部４と閉鎖板部５により、その上端縁を除く前後側縁及び下端縁の３方の相対向する端縁間が保持されるので、ホルダー１全体の剛性乃至強度が充分確保される。
【００３７】
そして以上のホルダー１に新しい巻きテープＴを装填するには、巻きテープＴを左右対向板部２ａ・２ｂにおける上端縁間の開口よりこれら左右対向板部２ａ・２ｂ間の空間Ｓ内に挿入する。
【００３８】
続いて、維持体７の第２維持片７２を第１維持片７１に対して折り曲げると共に、第１維持片７１を対向板部２ａに対して折り曲げて、前記した第２維持片７２を前記空間Ｓ内に挿入することで、第１維持片７１を左右対向板部２ａ・２ｂ間の空間Ｓに横断状に介在させる。
【００３９】
しかる後、支持片６ａ・６ｂを左右対向板部２ａ・２ｂに対して前記空間Ｓ内に向けて折り曲げるのであって、これら両対向板部２ａ・２ｂの折り曲げに伴ない、斜め傾斜するガイド６２ａ・６２ｂが第１維持片７１と第２維持片７２との境界の角に当接して、これら両維持片７１・７２が弾性的に押し下げられる。そして両対向板部２ａ・２ｂがほぼ９０度折り曲げられた時点で、ガイド６２ａ・６２ｂによる両維持片７１・７２の押し下げが解除され、これにより、押し下げられていた両維持片７１・７２が上方に移動して、その長さ方向両端縁で支持片６ａ・６ｂの下部側面を受け止めるのであり、これにより、支持片６ａ・６ｂが支持位置から解除位置方向に揺動するのを前記第１維持片７１により阻止される。
【００４０】
斯くして、ホルダー１内に装填された巻きテープＴは、支持片６ａ・６ｂを介して回転自由に支持され、不用意にホルダー１内から飛び出すようなことがない。
【００４１】
一方、巻きテープＴを新しいものに交換する場合には、指で維持体７を下方に押し込んで、両維持片７１・７２による支持片６ａ・６ｂの受け止めを解除した上で、支持片６ａ・６ｂを前記空間Ｓ外、即ち、巻きテープＴの支持が解除される解除位置まで展開退避させ、続いて維持体７の第２維持片７２及び第１維持片７１を前記空間Ｓ外に展開退出させ、左右対向板部２ａ・２ｂ間の空間Ｓ内に残る使用済みの巻きテープＴを取り除くと共に、新しい巻きテープＴを再度、セットすれば良い。
ところでホルダー１に装填された巻きテープＴを所定長さにカットするに際しては、ホルダー１を手で持ちながら、指で左右対向板部２ａ・２ｂを押さえ込めば、左右対向板部２ａ・２ｂの撓みにより、巻きテープＴは左右対向板部２ａ・２ｂを介してホールドされてホルダー１に対して不用意に回転するようなことがない。
【００４２】
従って、刃体６による巻きテープＴのカット作業がスムーズ且つ確実に行なえる。
【００４３】
斯くして以上のホルダー１では、巻きテープＴの交換が簡単且つ容易に行なえるし、しかも左右対向板部２ａ・２ｂが連結板部３と結合板部４と閉鎖板部５により所定間隔開けて対向状に強固に組まれているので、例えば巻きテープのカット時、左右対向板部２ａ・２ｂを手で強く押さえてもホルダー１が不用意に崩れるようなことがなく、巻きテープＴが確実に支持され、巻きテープのカットが簡単且つ容易に行なえる。
【図面の簡単な説明】
【００４４】
【図１】本発明にかかるホルダーの展開図。
【図２】ホルダーの組み立て過程を示す説明図。
【図３】ホルダーの組み立て過程を示す説明図。
【図４】ホルダーの組み立て過程を示す斜視図。
【図５】組み立てられたホルダーの斜視図。
【図６】巻きテープを装填したホルダーの斜視図。
【図７】巻テープを装填したホルダーの縦断面図。
【図８】巻テープを装填したホルダーの横断面図。
【符号の説明】
【００４５】
１        ホルダー
２ａ      左側対向板部
２ｂ      右側対向板部
３        連結板部
４        結合板部
４１      結合片
４２      重合片
５        閉鎖板部
５１      閉鎖片
５２      挿入片
６ａ      支持片
６ｂ      支持片
７        維持体
９        刃体
Ｓ        空間
Ｔ        巻きテープ
【図１】
2009149423.tif 000003
【図２】
2009149423.tif 000004
【図３】
2009149423.tif 000005
【図４】
2009149423.tif 000006
【図５】
2009149423.tif 000007
【図６】
2009149423.tif 000008
【図７】
2009149423.tif 000009
【図８】
2009149423.tif 000010